(57)【要約】【課題】部屋に射し込む太陽光を低減し、部屋の温度上昇を抑えると共に部屋の明るさを確保しながら室内から視認性良く室外を見ることが出来る省エネルギーの網戸付き窓装置を提供する。【解決手段】窓に配置されかつ密封された気体層を有する複層ガラスを装着したサッシ障子と、該サッシ障子と平行に配設された網を有する網戸と、該網の開口を形成する糸の直径または糸の幅を０．１２〜１．２ｍｍ、該網の平均開口面積を０．２〜１．３ｍｍ２、該網の全開口面積と該網の全体面積の比である該網の開口率を２７〜６１％に形成した網とで構成したので、網戸の網の適切な開口率と複層ガラス間の密封された気体層とが有機的に結合して部屋の温度上昇を大幅に抑えることが出来、室内におけるエアコンの冷房効果を高めて省エネルギーに効果がある。【選択図】図１
2010196452.tif 000002
【特許請求の範囲】
【請求項１】
窓に配置されかつ密封された気体層を有する複層ガラスを装着したサッシ障子と、該サッシ障子と平行に配設された網を有する網戸と、該網の開口を形成する糸の直径または糸の幅を０．１２〜１．２ｍｍ、該網の平均開口面積を０．２〜１．３ｍｍ２、該網の全開口面積と該網の全体面積の比である開口率を２７〜６１％に形成した網とで構成したことを特徴とする網戸付き窓装置。
【請求項２】
該網の開口を形成する一方の糸および他方の糸を樹脂の一体成形により形成したことを特徴とする第１項記載の網戸付き窓装置。
【請求項３】
該網の開口を形成する糸を透明な合成樹脂により形成したことを特徴とする第１項記載の網戸付き窓装置。
【請求項４】
該網に紫外線及び赤外線の少なくとも一方を吸収又は遮断する成分を保有させたことを特徴とする第１項記載の網戸付き窓装置。
【請求項５】
該サッシ障子の枠の室内側及び室外側の少なくとも一方を樹脂により形成したことを特徴とする第１項記載の網戸付き窓装置。
【請求項６】
該サッシ障子の枠の室内側と室外側との間に断熱部材を介在したことを特徴とする第１項記載の網戸付き窓装置。
【請求項７】
該網戸の網を格納可能に構成したことを特徴とする第１項記載の網戸付き窓装置。
【請求項８】
該サッシ障子に装着した複層ガラス内側に紫外線及び赤外線の少なくとも一方を吸収又は遮断する被膜を保有したことを特徴とする第１項記載の網戸付き窓装置。
【請求項９】
該複層ガラス内の気体層を不活性ガスにより形成したことを特徴とする第１項記載の網戸付き窓装置
【請求項１０】
該サッシ枠の室内側及び室外側の少なくとも一方を樹脂により形成したことを特徴とする第１項記載の網戸付き窓装置。
【請求項１１】
該サッシ枠の室内側と室外側との間に断熱部材を介在したことを特徴とする第１項記載の網戸付き窓装置。
【発明の詳細な説明】
【技術分野】
【０００１】  本発明は、網戸付き窓装置に関する。
【背景技術】
【０００２】  従来、特許文献１に示されるように、窓に配置されかつガラスを有するサッシ障子と、該サッシ障子に網を有する網戸とが設けられ、該網戸を２種配設し、一方の網戸には糸径０．２１５ｍｍ、空隙率９０％の網を設け、夏季などに防虫機能として用いると共に、他方の網戸は該一方の網戸に着脱自在に取付けられ、糸径０．０５ｍｍ、空隙率４０％以下の網を設けて遮光機能及び目隠し機能を有する一方、春、秋などの花粉飛散時期に防花粉機能として用いて夏季には取外すものである。
しかし、該一方の網戸だけでは該網目（開口）が大き過ぎ、網の開口を介して部屋に射し込む太陽光を十分低減できず、部屋の温度が大幅に上昇する。また、該他方の網戸により部屋に射し込む太陽光は低減できるが、該糸径や開口が小さ過ぎて室内から視認性良く室外を見ることが出来ないため開放感に欠けると共に、該一方の網に取付けて用いる構成のため常に２種の網戸を併用せざるを得ず、部品数が増し生産性，組付け性、コストなどに難点がある。
【先行技術文献】
【特許文献】
【０００３】
【特許文献１】特開２００５−２６４４５０
【発明の概要】
【発明が解決しようとする課題】
【０００４】  本発明は上記従来の問題点に鑑みて成されたもので、サッシ障子に密封した気体層を有する複層ガラスを装着し、網戸の網の開口率を適切に設定し、該網の適切な開口率および該複層ガラス内の密封された気体層の相乗効果により網の開口を介して部屋に射し込む太陽光を低減し、部屋の温度上昇を抑えると共に部屋の明るさを確保しながら室内から視認性良く室外を見ることが出来る省エネルギーの網戸付き窓装置を提供するものである。
【課題を解決するための手段】
【０００５】  上記課題を解決するために、請求項１に記載の本発明は、窓に配置されかつ密封した気体層を有する複層ガラスを装着したサッシ障子と、該サッシ障子と平行に配設された網を有する網戸と、該網の開口を形成する糸の直径又は糸の幅を０．１２〜１．２ｍｍ、該網の平均開口面積を０．２〜１．３ｍｍ２、該網の全開口面積と該網の全体面積の比である該網の開口率を２７〜６１％に形成した網とで構成したことを特徴とする。【０００６】  請求項２に記載の本発明は、該網の開口を形成する一方の糸と他方の糸を樹脂の一体成形により形成したことを特徴とする第１項記載の網戸付き窓装置。
請求項３に記載の本発明は、該網の開口を形成する糸を透明な合成樹脂により形成したことを特徴とする第１項記載の網戸付き窓装置。
請求項４に記載の本発明は、該網に紫外線及び赤外線の少なくとも一方を吸収又は遮断する成分を保有させたことを特徴とする第１項記載の網戸付き窓装置。【０００７】  請求項５に記載の本発明は、該サッシ障子の枠の室内側及び室外側の少なくとも一方を樹脂により形成したことを特徴とする第１項記載の網戸付き窓装置。
請求項６に記載の本発明は、該サッシ障子の枠の室内側と室外側との間に断熱部材を介在したことを特徴とする第１項記載の網戸付き窓装置。
請求項７に記載の本発明は、網戸の網を格納可能に構成したことを特徴とする第１項記載の網戸付き窓装置。
請求項８に記載の発明は、該サッシ障子に装着した複層ガラス内側に紫外線及び赤外線の少なくとも一方を吸収又は遮断する被幕を保有したことを特徴とする第１項記載の網戸付き窓装置。【０００８】  請求項９に記載の本発明は、該複層ガラス内側の気体層を不活性ガスで形成したことを特徴とする第１項記載の網戸付き窓装置。
請求項１０に記載の本発明は、該サッシ枠の室内側及び室外側の少なくとも一方を樹脂により形成したことを特徴とする第１項記載の網戸付き窓装置。
請求項１１に記載の本発明は、該サッシ枠の室内側と室外側との間に断熱部材を介在したことを特徴とする第１項記載の網戸付き窓装置。
【発明の効果】
【０００９】  請求項１の本発明によれば、網戸の網の開口を介して部屋に射し込む太陽光を適度に低減するとともに、サッシ障子に装着した複層ガラス間の密封された気体層の断熱作用とにより部屋の温度上昇を相乗的に抑えることが出来る。また、部屋の明るさを確保しながら室内から視認性良く室外を見ることが出来るため、開放感を得る。また、網戸の網に風圧が作用しても網戸のバタ付きを防止でき、網戸の外れ、バタ付き騒音、網の損傷などを低減することができる。本発明は網戸の網の適切な開口率と複層ガラス間の気体層との有機的結合により、夏季など太陽光の強いときにエアコン（空調機）の冷房効果を一段と高めることが出来、省エネルギーに効果があると共に明るく開放感のある部屋を得ることが出来る。【００１０】  請求項２の本発明によれば、請求項１の効果に加え、該網の開口を形成する一方の糸と他方の糸を樹脂の一体成形により形成したので、生産性が良く、糸のずれ、開口の変形が防止できる。
請求項３の本発明によれば、請求項１の効果に加え、糸を透明な合成樹脂により形成したので、部屋の明るさを大幅に向上させることが出来る。【００１１】  請求項４の本発明よれば、請求項１の効果に加え、網により積極的に紫外線及び赤外線の少なくとも一方を吸収又は遮断することができ、室内温度を大幅に低減できるとともに室内の紫外線の悪影響、室内塗装の変色を防止できる。
請求項５及び請求項６の本発明によれば、請求項１の効果に加え、網の開口を介して射し込む太陽光の熱がサッシ障子の枠の室外側から室内側へ伝わるのを遮断でき、室内温度の上昇を抑えることができる【００１２】  請求項７の本発明よれば、請求項１の効果に加え、網戸の網を格納可能に出来るので、冬季など網戸が不要な時に格納して、室内に太陽光を十分受けることができる。
請求項８及び請求項９の発明によれば、網の開口を介して射し込む太陽光中の紫外線及び赤外線の少なくとも一方を吸収又は遮断（反射）でき、室内温度を低減できると共に室内の紫外線の悪影響、室内塗装の変色を防止できる。【００１３】請求項１０及び請求項１１の本発明によれば、請求項１の効果に加え、網の開口を介して射し込む太陽光の熱がサッシ枠の室外側から室内側へ伝わるのを遮断でき、室内温度の上昇を抑えることができる。
【図面の簡単な説明】
【００１４】
【図１】本発明の一実施形態の平面断面図である。
【図２】本発明の一実施形態の側面断面図である。
【図３】本発明の種々の実施形態の網目（開口部）の拡大図である。
【図４】本発明の他の実施形態の正面図である。
【図５】本発明の他の実施形態の正面図で、網を格納可能にした構成である。
【図６】本発明の他の実施形態の側面断面図（サッシ障子の枠）である。
【図７】本発明の他の実施形態の側面断面図（サッシ枠）である。
【発明を実施するための形態】
【実施例】
【００１５】  次に、本発明の一実施形態を図面に基づいて説明する。
図１は本発明の網戸付き窓装置を説明する平面断面図、図２は図１のＣ−Ｃ線部でカットした側面断面図である。
図１、図２において本発明の網戸付き窓装置は、建物Ａの窓の開口１に嵌め込まれたサッシ枠２と、サッシ枠２の内側に形成した開口Ｋを開閉する引違いサッシ障子３，４と、開口Ｋを全面的に閉じることが出来ると共にサッシ障子３，４に平行に配設した引き違い網戸５，６を有している。
このサッシ障子３，４はサッシ枠２に設けたレール７，８を移動し、引き違い網戸５，６はサッシ枠２に設けたレール９，１０を移動する。このサッシ枠２は室内側２Ａ及び室外側２Ｂを樹脂により一体形成されているので、太陽光の熱が室外側２Ｂから室内側２Ａへ伝わるのを遮断できる。
尚、図１に示すサッシ障子３，４は室内への通気のため窓を少し開いた状態であるが、エアコン使用時にはサッシ障子３，４は全閉される。また、図１、図２に示す実施形態では２枚のサッシ障子３，４及び２枚の引き違い網戸を並設しているが、サッシ障子３，４及び引き違い網戸５，６の枚数、大きさ、形状は適宜変更できる。つまり、網戸５，６の内、片方の網戸のみにも適用できる。【００１６】  サッシ障子３，４は枠Ｂと、枠Ｂの室内側１１と室外側１２の間に挟持した複層ガラス１４とから構成される。複層ガラス１４は２枚のガラス板の間に空気、アルゴンなどの不活性ガスを密封した気体層１３を介在させている。この密封した気体層１３は断熱作用が高く、外部から埃、水分などの浸入を防止でき、安定した断熱作用を保つ。
特にアルゴンガスの気体層１３は断熱性能及び紫外線吸収能力が高い。また、複層ガラス１４の室外側ガラスの内側に特殊金属のコーティング層、薄いフィルムなどの被膜１５を設けている。この皮膜１５は太陽光中の紫外線、赤外線を吸収又は遮断（反射）することができる。
この密封された気体層１３及び被膜１５の相乗効果により網戸５，６の網１７の開口Ｅを介して部屋に射し込む太陽光中の紫外線、赤外線を大幅に吸収又は遮断（反射）でき、部屋の温度上昇を抑えることができると共に室内における紫外線の悪影響、室内塗装の変色を防止できる。【００１７】  また、サッシ障子３，４の枠Ｂの室内側１１、室外側１２の少なくとも一方を樹脂材により熱遮断することにより、網１７の開口Ｅを介して射し込む太陽光の熱が室外側１２から室内側１１へ伝わるのを遮断できる。
尚、サッシ障子３，４の枠Ｂ（室内側１１及び室外側１２）を樹脂により一体成形するのが望ましい。
一方、図６に示すように他の実施形態としてサッシ障子３，４の枠Ｂを金属により形成する場合、サッシ障子３，４の枠Ｂの室内側１１と室外側１２の間に樹脂材などの断熱材Ｄを介在させる。これにより網１７の開口Ｅを介して射し込む太陽光の熱が枠Ｂの室外側１２から室内側１１へ伝わるのを遮断できる。【００１８】  網戸５，６は、網戸枠１６の内側に網１７を張って構成される。この網１７の開口Ｅを形成する糸は、ポリエステル、ポリウレタン、ポリプロピレン、ナイロン、ポリ塩化ビニールなどの合成樹脂により成形される。この網１７は防虫機能を有している。【００１９】  網１７の開口Ｅを形成する糸の直径又は糸の幅は０．１２〜１．２ｍｍ（ミリメートル）に形成し、網１７の面に対する垂直方向から投影した開口Ｅの平均開口面積は０．２〜１．３ｍｍ２（平方ミリメートル）に形成される。
網１７の全開口面積と網１７の全体面積の比率である網１７の開口率は２７〜６１％に形成される。網１７の全開口面積及び該網１７の全体面積は、網１７の一定寸法（縦及び横の長さ）において求めることが出来る。即ち、縦及び横の長さを各々定め、その網１７の大きさに対してそれぞれ面積を求め、網の全開口面積／網の全体面積  の比率から開口率を求めることが出来る。
例えば、図３（１）に示すように、網１７の一定寸法をＬとすると、網１７の全開口面積は１つの開口Ｅの面積×４であり、網の全体面積はＬ×Ｌとなり、網１７の開口率はこの面積の比率により求めることが出来る。【００２０】  望ましい形態としては、網１７の開口Ｅを形成する糸の直径又は糸幅は０．１６〜１．１ｍｍ、網１７の平均開口面積は０．３〜１．１ｍｍ２、網１７の開口率は３２〜５８％が良い。【００２１】  図３は網１７を形成する種々な網目（開口）の構成を拡大して示すもので、図３（１）に示す網１７の縦糸ａ及び横糸ｂは共に断面形状が円形（直径ｄ）であり、平織りである。図３（２）に示す網１７の縦糸ａ及び横糸ｂはそれぞれ厚さｔに対し幅ｗが大きく、平織りである。図３（３）に示す網１７の縦糸ａおよび横糸ｂは樹脂の一体成形により構成される。この場合、生産性が良く、糸のずれ、開口の変形が防止できる。
尚、縦糸ａ及び横糸ｂの寸法、形状、編み方などは適宜変更できる。【００２２】    ここで、網１７の開口Ｅを形成する糸をポリプロピレン、ナイロン等の透明な合成樹脂により形成することにより、部屋の明るさを大幅に向上出来る。また、網１７に紫外線及び赤外線の少なくとも一方を吸収又は遮断（反射）する成分を保持させたことにより、網１７を介して部屋に射し込む太陽光中の紫外線及び赤外線の少なくとも一方を積極的に吸収又は遮断（反射）でき、室内温度の上昇を大幅に抑えることができると共に室内に於ける紫外線の悪影響、室内塗装の変色を防止できる。
この紫外線吸収又は遮断（反射）には樹脂としてアクリル系ポリマー、ポリエステル、ポリオレフリン、ポリウレタン、シリコーン、フッ素系ポリマーなどが良い。
また、赤外線の遮断又は反射にはセラミック配合の樹脂又は塗料、グラスファイバーなどが良い。【００２３】  図４は他の実施形態の正面図を示す図で、網１７を有する網戸枠１６をボルトなどの固定具１８によりサッシ障子３，４に直接取付けた構成を示す。
図５は他の実施形態の正面図を示す図で、網１７を格納室２０内に格納可能にしたロール網戸１９の構成を示す。このロール網戸１９の網１７はサッシ障子３，４と平行に配設され、レール２１内を移動してサッシ障子３，４を覆うように構成される。尚、ロール網戸１９はサッシ枠２の開口Ｋを全面的に閉じるように構成しても良い。
従って、網戸１９の網１７を格納可能に出来るので、冬季など網１７が不要な時に網１７を格納室２０に格納して、サッシ障子３，４を介して太陽光を十分受けることができる。  尚、ロール網戸１９は図示しないモータや手動装置により開閉できると共に、ロール網戸１９の枚数、大きさ、形状は適宜変更できる。２２は網１７の係止具である。【００２４】  図７は他の実施形態の側面断面図で、サッシ枠２の構成を示したものである。
サッシ枠２を金属製にする場合、室内側２Ａと室外側２Ｂの間に樹脂、ゴムなどの断熱材Ｄを介在するように構成される。従って、網１７の開口Ｅを介して射し込む太陽光の熱はサッシ枠２の室外側２Ｂから室内側２Ａに伝わるのを遮断でき、部屋の温度上昇を大幅に抑えることが出来る。【００２５】  しかして、本実施形態の効果は以下の通りである。
引き違い網戸５，６によりサッシ枠２の開口Ｋを全面的に閉じ、網１７の開口率を２７〜６１％に設定したので、網１７の開口Ｅを介して部屋に射し込む太陽光を適度に低減するとともに、サッシ障子５，６に装着した複層ガラス１４間の密封された気体層１３の断熱効果と相俟って部屋の温度上昇を大幅に抑えることが出来る。また、部屋の明るさを確保しながら室内から視認性良く室外を見ることが出来、開放感を得ることが出来る。また、網戸５，６の網１７に風圧が作用しても網戸５，６のバタ付きを防止でき、網戸５，６の外れ、バタ付き騒音、網の損傷などを低減することができる。【００２６】  上記のように網戸５，６の網１７の適切な開口率と複層ガラス間の密封された気体層１３とが有機的に結合して部屋の温度上昇を大幅に抑えることが出来るので、夏季など太陽光の強いときに室内におけるエアコン（空調機）の冷房効果を一段と高めることが出来て省エネルギーに効果があると共に、明るく開放感のある部屋を得ることが出来る。
【産業上の利用可能性】
【００２７】  本発明は建物の窓に配置したサッシ障子と網戸とを有する網戸付き窓装置に利用することが出来る。
【符号の説明】
【００２８】      ２      サッシ枠
３、４  サッシ障子
５，６  引き違い網戸
１４    複層ガラス
１７    網
Ｅ      網の開口
【図１】
2010196452.tif 000003
【図２】
2010196452.tif 000004
【図３】
2010196452.tif 000005
【図４】
2010196452.tif 000006
【図５】
2010196452.tif 000007
【図６】
2010196452.tif 000008
【図７】
2010196452.tif 000009